(57)【要約】【課題】会社や学校から持ち帰るスケジュール表  連絡用紙などは家族の構成人数が増えると膨大な数となり、それらを効率よく整理整頓する手段を提供する。【解決手段】例えば樹脂製の本体基板に書類収納用の例えばポリエチレン製書類収納袋を階段状に重ねて貼り、その中に任意の項目ごとに収納することにより効率のよい整理整頓が可能となる。【選択図】  図１
2013126739.tif 000002
【特許請求の範囲】
【請求項１】
樹脂製の台板と、台板に取り付けたパンチピンと、パンチピンに取り付けるための取り付けプレートを備えた書類収納袋を下から順次吊持することを特徴とする多層式スケジュール管理帳。      
【請求項２】
請求項１に記載のパンチピンの形状は全体としては円錐形であるものの左右両方向に膨らみを持たせ、更にその中央部分に切り込みを入れてあり不本意な脱落は防止しつつ、脱着は容易に行える事を特徴とする多層式スケジュール管理帳。
【発明の詳細な説明】
【技術分野】
【０００１】
本発明は、会社、学校等から配布される家族全員のスケジュール表や連絡書類を、コンパクトで見やすく管理収納する多層式スケジュール管理帳に関する。
【背景技術】
【０００２】
家族全員のスケジュールや連絡事項は主婦が管理することが多く、それらの書類はキッチンの壁や冷蔵庫に貼ってある事が多く、家族の人数が増えるに従ってその枚数はたいへん多くなりかなりの面積を占領するので、機能的に整理する手段が求められている。
【先行技術文献】
【特許文献】
【０００３】
【特許文献１】実用新案登録第３０４１９０５号公報（図１０）
【発明の概要】
【発明が解決しようとする課題】
【０００４】
上記の通り、特許文献１のハンガー表示具は、フック状の掛止部を有する掛止具と、上肩部に突片を有し該掛止具下方に吊下されてなる表示体と、前記掛止具を掛止可能な支持棒と、該支持棒の下方に設けられ前記掛止具を支持棒に掛け止した際に吊下された表示体の向きを規制するガイド板を有している。そのため内容をその都度記入する作業現場などには適しているのかもしれないが、文書の形で発行される連絡書類の類ではその態様の違いから扱うことは不可能であった。
【０００５】
本明細書で開示する技術は、上記の課題を解決する為に創作されたものである。本明細書では大量の連絡書類やスケジュール表を再加工することなく表示可能な多層式スケジュール管理帳を提供する。
【課題を解決するための手段】
【０００６】
本明細書が開示する多層式スケジュール管理帳は、書類収納袋を保持してパンチ穴を有する取り付けプレートと、当該取り付けプレートのパンチ穴を通すパンチピンと、パンチピンを等間隔で複数段固着させた台版とを備えている。
【発明の効果】
【０００７】
上記の多層式スケジュール帳ではＡ４サイズ又はＢ５サイズの連絡書類を書類収納袋２へ収納することができ、複数の書類収納袋を等間隔にて階段状に設けてある。
その結果その部分が見出しの役割を果たし、内容を確認でき目的の書類の選択が容易に行うことができる。
【０００８】
一方収納袋単体にはＡ４サイズ又はＢ５サイズの用紙で１０〜１５枚まで収納することができるので過去のデータまで保管が可能である。また、裏面には予備の収納袋を設け使用済みの書類を１５枚程度一時保管できるようにした。（図２）従って当面必要と思われない書類なども収納しておける。
【０００９】
上記の多層式スケジュール帳では収納袋を本体に取り付ける部分は本体に設けたパンチピン３に取り付けプレート６のパンチ穴７（例えばＩＳＯ８３８に規定されている２穴のもの  φ６ｍｍ  ピッチ８０ｍｍ）を通して取り付けるが、パンチ穴の規格をそのまま使用しておりパンチ穴をあけた用紙であれば収納袋を利用せずに直接取り付けることが可能で、オフィスや工場などの作業現場はもちろん人間が何がしかの行動をする場所には欠かせないものとなる。またこれらの収納袋の使用目的や重要度に応じて順番を容易に並べ替えることを可能とした為、作業性の向上に大きく貢献している。
【００１０】
取付け用のパンチピン３は円筒形でもよいがＡ−Ｂ切断面では楕円形となっておりその長辺に対して直角に切り込みが入れてあり、収納袋取付け板のパンチ穴に通した時に左右に膨らんでいる部分がピン本体を内側に押し曲げ通過を容易にし、しかも使用者の意思に反した脱落を防止している。
【００１１】
本体を吊り下げる手段については本体上部に設けた台板取り付け用の画鋲穴４を利用して適宜、画鋲や壁面のフック（図示しない）によりつりさげるものとする。また本体のパンチピン３の最下段に、もう一つの本体の画鋲穴を利用して複数の本発明を上下に連結して使用することも可能となる。
【００１２】
収納袋取付け板にあっては、脱着時の操作を容易にする目的でその両端を引き起こして指をひっかけられるようにしてある。
【図面の簡単な説明】
【００１３】
【図１】本発明の一実施形態を示す斜視図。
【図２】本発明の一実施形態を示す裏面斜視図。
【図３】本発明の一実施形態を示す正面図。
【図４】本発明の一実施形態を示す右側面図。
【図５】収納袋単体前面斜視図。
【図６】本体斜視図。
【図７】ピン斜視図。
【図８】ピン正面図。
【図９】図７及び図８におけるＡ−Ｂ面切断図。
【図１０】従来の構成を示す斜視図。
【発明を実施するための形態】
【００１４】
本発明に係る多層式スケジュール管理帳について、図面を参照しながら説明する。
図１に示すように、本実施例の多層式スケジュール管理帳は、Ａ４サイズ横型の連絡書類を収納する書類収納袋を台板設けた袋取り付ピンに台板下方から順次吊持するものである。
【００１５】
台板１には予め等間隔に書類収納袋２を吊持するためのピン３を複数段固着させて成り、台板１の裏面には、予備の書類収納袋５を保持しておく。
【００１６】
書類収納袋２は、台板１に吊持するための袋取り付け用のパンチ穴６が設けられている。
【００１７】
以上が基本形であるが使用している素材や形状、サイズを変更することにより更に広い需要が喚起できる。樹脂製の本体をステンレス製に変更して一体成型だったパンチピンの取り付け方法をねじ式に変更した場合、衝撃や熱などの耐久性が期待でき作業現場などでの過酷な使用にも耐えられる。また樹脂製の本体を多色化するとお洒落な勉強部屋でのインテリアとしても申し分なく、さらに収納袋を多色化すると収納内容の分類に役立つ。また本体に取り付けピンを最下段まで取り付けたり、さらに狭い間隔で接着剤などにより接着した廉価版などへの応用も考えられる。サイズも更に大きな用紙サイズを揃えるなど紙以外のあらゆるものを対象としての商品開発も可能で、多様な用途に応じた商品群が出来上がることでさらに需要を喚起することになる。パンチピンについては本体に対して直角に取り付けることとしてあるが、仰角を持たせることにより重量物に対応し、長いピンを使用することで寸法の大きなものでも対応する。
【符号の説明】
【００１８】
１：台版
２：書類収納袋
３：パンチピン
４：画鋲穴
５：予備書類収納袋
６：取り付けプレート
７：パンチ穴
【図１】
2013126739.tif 000003
【図２】
2013126739.tif 000004
【図３】
2013126739.tif 000005
【図４】
2013126739.tif 000006
【図５】
2013126739.tif 000007
【図６】
2013126739.tif 000008
【図７】
2013126739.tif 000009
【図８】
2013126739.tif 000010
【図９】
2013126739.tif 000011
【図１０】
2013126739.tif 000012
【手続補正書】
【提出日】平成24年2月13日(2012.2.13)
【手続補正１】
【補正対象書類名】特許請求の範囲
【補正対象項目名】請求項１
【補正方法】変更
【補正の内容】
【請求項１】
樹脂製の台板と、台板に複数段にわたり取り付けたパンチピンと、パンチピンに取り付けるためのパンチ穴を有する取り付けプレートを備えた書類収納袋を備え、書類収納袋を下から順次吊持することを特徴とする多層式スケジュール管理帳。
【手続補正２】
【補正対象書類名】明細書
【補正対象項目名】０００６
【補正方法】変更
【補正の内容】
【０００６】
本明細書が開示する多層式スケジュール管理帳は、書類収納袋を保持してパンチ穴を有する取り付けプレートと、当該取り付けプレートのパンチ穴を通すパンチピンと、パンチピンを等間隔で複数段固着させた台板とを備えている。
【手続補正３】
【補正対象書類名】明細書
【補正対象項目名】００１８
【補正方法】変更
【補正の内容】
【００１８】
１：台板
２：書類収納袋
３：パンチピン
４：画鋲穴
５：予備書類収納袋
６：取り付けプレート
７：パンチ穴
【手続補正４】
【補正対象書類名】明細書
【補正対象項目名】００１４
【補正方法】変更
【補正の内容】
【００１４】
本発明に係る多層式スケジュール管理帳について、図面を参照しながら説明する。
図１に示すように、本実施例の多層式スケジュール管理帳は、Ａ４サイズ横型の連絡書類を収納する書類収納袋を台板に設けた袋取り付けピンに台板下方から順次吊持するものである。